(57)【要約】【解決手段】再閉可能なパッケージは、第１及び第２の相対する本体パネルと、再閉可能なシールと、一回限り破断可能要素とを備えている。再閉可能なシールは、一端に沿って伸張しており、第１軌道と第２軌道を含んでいる。第１軌道は、第１フィン部分と第１再閉可能要素を含んでいる。第１フィン部分は、第１端部と、前記第１再閉可能要素から遠い第２端部を有している。一回限り破断可能要素は、第１及び第２区画を備えており、最初は、第１フィン部分から第２フィン部分まで伸張している。第１及び第２区画は、それぞれ、第１及び第２フィン部分の各第２端部付近から上向き且つ内向きに伸張して、概ね逆Ｕ字型又は逆Ｖ字型の断面形状を形成している。第１及び第２の相対する本体パネルは、一回限り破断可能要素の第１及び第２区画それぞれに取り付けられている。【選択図】図１ａ
2007501751.tif 000002
【特許請求の範囲】
【請求項１】
再閉可能なパッケージにおいて、
第１の相対する本体パネルと、
３つの辺に沿って前記第１の相対する本体パネルと接合され、一端に口部を有する容器空間を形成する第２の相対する本体パネルと、
前記一端に沿って伸張し、第１軌道と第２軌道を含んでいる再閉可能なシールであって、前記第１軌道は第１フィン部分と第１再閉可能要素を含んでおり、前記第２軌道は第２フィン部分と第２再閉可能要素を含んでおり、前記第１フィン部分は、前記第１再閉可能要素から前記容器空間に向かって概ね下向きに伸張しており、前記第１フィン部分は、第１端部と、前記第１再閉可能要素から遠い第２端部を有しており、前記第２フィン部分は、前記第２再閉可能要素から前記容器空間に向かって概ね下向きに伸張しており、前記第２フィン部分は、第１端部と、前記第２再閉可能要素から遠い第２端部を有しており、前記第１再閉可能要素と前記第２再閉可能要素は、互いに解除可能に係合可能である、再閉可能なシールと、
第１区画と第２区画を備えている一回限り破断可能要素であって、前記一回限り破断可能要素は、開封される前にパッケージをいじることを防ぎ又は阻止するために、最初は前記第１フィン部分から前記第２フィン部分まで伸張しており、前記一回限り破断可能要素の前記第１区画は、前記第１フィン部分の前記第２端部付近に取り付けられており、前記一回限り破断可能要素の第２区画は、前記第２フィン部分の前記第２端部付近に取り付けられており、前記第１及び第２区画は、それぞれ、前記第１及び第２フィン部分の各第２端部付近から上向き且つ内向きに伸張して、概ね逆Ｕ字型又は逆Ｖ字型の断面形状を形成している、一回限り破断可能要素と、を備えており、
前記第１の相対する本体パネルは、前記一回限り破断可能要素の前記第１区画に取り付けられており、前記第２の相対する本体パネルは、前記一回限り破断可能要素の前記第２区画に取り付けられている、再閉可能なパッケージ。
【請求項２】
前記一回限り破断可能要素は、弱さ優先領域を有している、請求項１に記載の再閉可能なパッケージ。
【請求項３】
前記弱さ優先領域は切れ目線である、請求項２に記載の再閉可能なパッケージ。
【請求項４】
前記弱さ優先領域は、一連の孔、又は高度に方向性のある領域である、請求項２に記載の再閉可能なパッケージ。
【請求項５】
前記再閉可能なシールの各端部付近に配置された相対する終端部を更に含んでいる、請求項１に記載の再閉可能なパッケージ。
【請求項６】
前記再閉可能なシールには、前記再閉可能なシールから上方向に伸張していて、掴んで、引き離して、前記再閉可能なシールを密封状態から開くことのできる引っ張りフランジが無い、請求項１に記載の再閉可能なパッケージ。
【請求項７】
前記第１及び第２の相対する本体パネルは、底部のガセットを形成している、請求項１に記載の再閉可能なパッケージ。
【請求項８】
前記第１及び第２の相対する本体パネルは、側部のガセットを形成している、請求項１に記載の再閉可能なパッケージ。
【請求項９】
前記第１及び第２の相対する本体パネルは、ポリマー材料を含んでいる、請求項１に記載の再閉可能なパッケージ。
【請求項１０】
前記第１及び第２の相対する本体パネルは、多重壁紙構造を含んでいる、請求項１に記載の再閉可能なパッケージ。
【請求項１１】
前記一回限り破断可能要素の前記第１及び第２区画は、接着剤で前記第１及び第２フィン部分の各第２端部に取り付けられている、請求項１に記載の再閉可能なパッケージ。
【請求項１２】
前記一回限り破断可能要素の前記第１区画の大部分は、前記第１フィン部分に取り付けられており、前記一回限り破断可能要素の前記第２区画の大部分は、前記第２フィン部分に取り付けられている、請求項１に記載の再閉可能なパッケージ。
【請求項１３】
前記一回限り破断可能要素の前記第１区画の実質的に全ては、前記第１フィン部分に取り付けられており、前記一回限り破断可能要素の前記第２区画の実質的に全ては、前記第２フィン部分に取り付けられている、請求項１２に記載の再閉可能なパッケージ。
【請求項１４】
再閉可能なパッケージにおいて、
第１の相対する本体パネルと、
３つの辺に沿って前記第１の相対する本体パネルと接合され、一端に口部を有する容器空間を形成する第２の相対する本体パネルと、
前記一端に沿って伸張し、第１軌道と第２軌道を含んでいる再閉可能なシールであって、前記第１軌道は第１フィン部分と第１再閉可能要素を含んでおり、前記第２軌道は第２フィン部分と第２再閉可能要素を含んでおり、前記第１フィン部分は、前記第１再閉可能要素から前記容器空間に向かって概ね下向きに伸張しており、前記第１フィン部分は、第１端部と、前記第１再閉可能要素から遠い第２端部を有しており、前記第２フィン部分は、前記第２再閉可能要素から前記容器空間に向かって概ね下向きに伸張しており、前記第２フィン部分は、第１端部と、前記第２再閉可能要素から遠い第２端部を有しており、前記第１再閉可能要素と前記第２再閉可能要素は、互いに解除可能に係合可能である、再閉可能なシールと、
第１区画と第２区画を備えている一回限り破断可能要素であって、前記一回限り破断可能要素は、開封される前にパッケージをいじることを防ぎ又は阻止するために、最初は前記第１フィン部分から前記第２フィン部分まで伸張しており、前記第１及び第２区画は、それぞれ、前記第１及び第２フィン部分の各第２端部から上向き且つ内向きに伸張して、概ね逆Ｕ字型又は逆Ｖ字型の断面形状を形成しており、前記一回限り破断可能要素の前記第１及び第２区画と、前記第１及び第２フィン部分は、互いに一体に接続されている、一回限り破断可能要素と、を備えており、
前記第１の相対する本体パネルは、前記一回限り破断可能要素の前記第１区画に取り付けられており、前記第２の相対する本体パネルは、前記一回限り破断可能要素の前記第２区画に取り付けられている、再閉可能なパッケージ。
【請求項１５】
前記一回限り破断可能要素は、弱さ優先領域を有している、請求項１４に記載の再閉可能なパッケージ。
【請求項１６】
前記弱さ優先領域は切れ目線である、請求項１５に記載の再閉可能なパッケージ。
【請求項１７】
前記弱さ優先領域は、一連の孔、又は高度に方向性のある領域である、請求項１５に記載の再閉可能なパッケージ。
【請求項１８】
前記再閉可能なシールの各端部付近に配置された相対する終端部を更に含んでいる、請求項１４に記載の再閉可能なパッケージ。
【請求項１９】
前記再閉可能なシールには、前記再閉可能なシールから上方向に伸張していて、掴んで、引き離して、前記再閉可能なシールを密封状態から開くことのできる引っ張りフランジが無い、請求項１４に記載の再閉可能なパッケージ。
【請求項２０】
前記第１及び第２の相対する本体パネルは、底部のガセットを形成している、請求項１４に記載の再閉可能なパッケージ。
【請求項２１】
前記第１及び第２の相対する本体パネルは、側部のガセットを形成している、請求項１４に記載の再閉可能なパッケージ。
【請求項２２】
前記第１及び第２の相対する本体パネルは、ポリマー材料を含んでいる、請求項１４に記載の再閉可能なパッケージ。
【請求項２３】
前記第１及び第２の相対する本体パネルは、多重壁紙構造である、請求項１４に記載の再閉可能なパッケージ。
【請求項２４】
前記一回限り破断可能要素の前記第１区画の大部分は、前記第１フィン部分に取り付けられており、前記一回限り破断可能要素の前記第２区画の大部分は、前記第２フィン部分に取り付けられている、請求項１４に記載の再閉可能なパッケージ。
【請求項２５】
前記第１再閉可能要素は、第１ロック形状部を含んでおり、前記第２再閉可能要素は、第２ロック形状部を含んでおり、更に、前記再閉可能なパッケージは、開位置と閉位置との間で動かせるように前記第１及び第２ロック形状部に滑動可能に取り付けられているスライダー機構を含んでおり、前記第１形状部と第２形状部は、前記スライダー機構が前記閉位置にあるときには互いに係合しており、前記スライダー機構を前記開位置へ動かすのに応じて互いに係合解除される、請求項１４に記載の再閉可能なパッケージ。
【請求項２６】
再閉可能なパッケージにおいて、
第１の相対する本体パネルと、
３つの辺に沿って前記第１の相対する本体パネルと接合され、一端に口部を有する容器空間を形成する第２の相対する本体パネルと、
前記一端に沿って伸張し、第１軌道と第２軌道を含んでいる再閉可能なシールであって、前記第１軌道は、第１フィン部分と、第１ロック形状部を含む第１再閉可能要素を含んでおり、前記第２軌道は、第２フィン部分と、第２ロック形状部を含む第２再閉可能要素を含んでおり、前記第１フィン部分は、前記第１再閉可能要素から前記容器空間に向かって概ね下向きに伸張しており、前記第１フィン部分は、第１端部と、前記第１再閉可能要素から遠い第２端部を有しており、前記第２フィン部分は、前記第２再閉可能要素から前記容器空間に向かって概ね下向きに伸張しており、前記第２フィン部分は、第１端部と、前記第２再閉可能要素から遠い第２端部を有しており、前記第１再閉可能要素と前記第２再閉可能要素は、互いに解除可能に係合可能である、再閉可能なシールと、
開位置と閉位置との間で動かせるように前記第１及び第２ロック形状部に滑動可能に取り付けられているスライダー機構であって、前記第１形状部と第２形状部は、前記スライダー機構が閉位置にあるときには互いに係合しており、前記スライダー機構を開位置へ動かすのに応じて互いに係合解除される、スライダー機構と、
第１区画と第２区画を備えている一回限り破断可能要素であって、前記一回限り破断可能要素は、開封される前にパッケージをいじることを防ぎ又は阻止するために、最初は前記第１フィン部分から前記第２フィン部分まで伸張しており、前記一回限り破断可能要素の前記第１区画は、前記第１フィン部分の前記第２端部付近に取り付けられており、前記一回限り破断可能要素の第２区画は、前記第２フィン部分の前記第２端部付近に取り付けられており、前記第１及び第２区画は、それぞれ、前記第１及び第２フィン部分の各第２端部付近から上向き且つ内向きに伸張して、概ね逆Ｕ字型又は逆Ｖ字型の断面形状を形成している、一回限り破断可能要素と、を備えており、
前記第１の相対する本体パネルは、前記一回限り破断可能要素の前記第１区画に取り付けられており、前記第２の相対する本体パネルは、前記一回限り破断可能要素の前記第２区画に取り付けられている、再閉可能なパッケージ。
【請求項２７】
前記一回限り破断可能要素は、弱さ優先領域を有している、請求項２６に記載の再閉可能なパッケージ。  
【請求項２８】
前記第１及び第２の相対する本体パネルは、ポリマー材料を含んでいる、請求項２６に記載の再閉可能なパッケージ。
【請求項２９】
前記第１及び第２の相対する本体パネルは、多重壁紙構造である、請求項２６に記載の再閉可能なパッケージ。
【請求項３０】
前記一回限り破断可能要素の前記第１及び第２区画は、前記第１及び第２フィン部分の各第２端部に接着剤で取り付けられている、請求項２６に記載の再閉可能なパッケージ。
【請求項３１】
再閉可能なパッケージを形成する工程において、
第１の相対する本体パネルと、３つの辺に沿って前記第１の相対する本体パネルと接合され、一端に口部を有する容器空間を形成する第２の相対する本体パネルと、を提供する段階と、
第１軌道と第２軌道を含んでいる再閉可能なシールを押出成形する段階であって、前記第１軌道は、第１フィン部分と第１再閉可能要素を含んでおり、前記第２軌道は、第２フィン部分と第２再閉可能要素を含んでおり、前記第１フィン部分は、前記第１再閉可能要素から概ね下向きに伸張しており、前記第１フィン部分は、第１端部と、前記第１再閉可能要素から遠い第２端部を有しており、前記第２フィン部分は、前記第２再閉可能要素から概ね下向きに伸張しており、前記第２フィン部分は、第１端部と、前記第２再閉可能要素から遠い第２端部を有しており、前記第１再閉可能要素と前記第２再閉可能要素は互いに解除可能に係合可能である、段階と、
第１区画と第２区画を備えている一回限り破断可能要素を押出成形する段階であって、前記一回限り破断可能要素は、開封される前にパッケージをいじることを防ぎ又は阻止するために、最初は前記第１フィン部分から前記第２フィン部分まで伸張しており、前記第１及び第２区画は、それぞれ、前記第１及び第２フィン部分の各第２端部から上向き且つ内向きに伸張して、概ね逆Ｕ字型又は逆Ｖ字型の断面形状を形成しており、前記一回限り破断可能要素の前記第１及び第２区画と、前記第１及び第２フィン部分は、互いに一体に接続されている、段階と、
前記第１の相対する本体パネルを、前記一回限り破断可能要素の前記第１区画に取り付ける段階と、
前記第２の相対する本体パネルを、前記一回限り破断可能要素の前記第２区画に取り付ける段階と、から成り、
前記第１フィン部分は、前記第１再閉可能要素から前記容器空間に向かって概ね下向きに伸張しており、前記第２フィン部分は、前記第２再閉可能要素から前記容器空間に向かって概ね下向きに伸張しており、前記再閉可能なシールは、前記容器空間の前記一端に沿って伸張している、工程。
【請求項３２】
前記一回限り破断可能要素は、弱さ優先領域を有している、請求項３１に記載の方法。
【請求項３３】
前記弱さ優先領域は切れ目線である、請求項３２に記載の方法。
【請求項３４】
前記弱さ優先領域は、一連の孔、又は高度に方向性のある領域である、請求項３２に記載の方法。
【請求項３５】
前記再閉可能なシールの各端部付近に相対する終端部を提供し、配置する段階を更に含んでいる、請求項３１に記載の方法。
【請求項３６】
前記再閉可能なシールには、前記再閉可能なシールから上方向に伸張していて、掴んで、引き離して、前記再閉可能なシールを密封状態から開くことのできる引っ張りフランジが無い、請求項３１に記載の方法。
【請求項３７】
前記第１及び第２の相対する本体パネルで底部のガセットを形成する段階を更に含んでいる、請求項３１に記載の方法。
【請求項３８】
前記第１及び第２の相対する本体パネルで側部のガセットを形成する段階を更に含んでいる、請求項３１に記載の方法。
【請求項３９】
前記第１及び第２の相対する本体パネルは、ポリマー材料を含んでいる、請求項３１に記載の方法。
【請求項４０】
前記第１及び第２の相対する本体パネルは、多重壁紙構造である、請求項３１に記載の方法。
【請求項４１】
前記一回限り破断可能要素の前記第１区画の大部分は、前記第１フィン部分に取り付けられており、前記一回限り破断可能要素の前記第２区画の大部分は、前記第２フィン部分に取り付けられている、請求項３１に記載の方法。
【請求項４２】
前記第１再閉可能要素は、第１ロック形状部を含んでおり、前記第２再閉可能要素は、第２ロック形状部を含んでおり、更に、開位置と閉位置との間で動かせるように前記第１及び第２ロック形状部に滑動可能に取り付けられているスライダー機構を含んでおり、前記第１形状部と第２形状部は、前記スライダー機構が前記閉位置にあるときには互いに係合しており、前記スライダー機構を前記開位置へ動かすのに応じて互いに係合解除される、請求項３１に記載の方法。
【発明の詳細な説明】
【技術分野】
【０００１】
本発明は、概括的にはパッケージ産業に関している。より具体的には、本発明は、タンパエビデント構造付きの（開封痕跡の残る）再閉可能なパッケージに関する。
【背景技術】
【０００２】
再閉可能なパッケージ又は袋は、特に食品業界では非常に普及している。再閉可能なパッケージは、通常、３つの辺に沿って接着された相対する本体パネルを使って形成されている。そのようなパッケージは、通常、再閉可能な接着シール又は再閉可能なジッパーのような再閉可能な要素又はファスナーを使用することによって再閉できるようになっている。そのようなジッパーは、圧力、又は補助的なスライダー機構を使って、開かれ、そして閉じられる。
【０００３】
再閉可能なパッケージは、特に、通常いつも製品の一部分しか使用しないランチョンミートやチーズのような製品では、消費者にとって大変都合が良い。しかしながら、これらの再閉可能なパッケージに関する問題は、再閉可能な構造が、所望の漏れ防止性を提供できないことである。従って、パッケージの中身が、パッケージから漏れ出て、また外部の大気がパッケージ内に入り込んで、食品を損なうことになる。再閉可能なパッケージに関するもう一つの問題は、消費者が、購入する前にそのようなパッケージをいじることができることである。
【０００４】
再閉可能なパッケージは、例えばランチョンミートやチーズの最終的な製造業者が、成形、詰め込み及び密封工程で使用する。この再閉可能なパッケージは、これらの製造業者の少なくとも幾つかの既存の成形、詰め込み及び密封設備に相当な改装を施すことなく、その設備で形成され、これと調和融合していることが望ましい。
【０００５】
従って、少なくとも幾つかの既存の成形、詰め込み及び密封工程で使用できる、再閉可能で且つ所望のタンパエビデントシールを有するパッケージが必要とされている。
【特許文献１】米国特許第５，０６７，２０８号
【発明の開示】
【課題を解決するための手段】
【０００６】
或る実施形態によれば、再閉可能なパッケージは、第１の相対する本体パネル、第２の相対する本体パネル、再閉可能なシール、及び一回限り破断可能要素を備えている。第２の相対する本体パネルは、３つの辺に沿って第１の相対する本体パネルと接合され、一端に口部を有する容器空間を形成する。再閉可能なシールは、一端に沿って伸張し、第１軌道と第２軌道を有している。第１軌道は第１フィン部分と第１再閉可能要素を含んでおり、第２軌道は第２フィン部分と第２再閉可能要素を含んでいる。第１フィン部分は、第１再閉可能要素から容器空間に向かって概ね下向きに伸張している。第１フィン部分は、第１端部と、第１再閉可能要素から遠い第２端部を有している。第２フィン部分は、第２再閉可能要素から容器空間に向かって概ね下向きに伸張している。第２フィン部分は、第１端部と、第２再閉可能要素から遠い第２端部を有している。第１再閉可能要素と第２再閉可能要素は、互いに解除可能に係合可能である。
【０００７】
一回限り破断可能要素は、第１区画と第２区画を備えている。一回限り破断可能要素は、開封される前にパッケージをいじることを防ぎ又は阻止するために、最初は第１フィン部分から第２フィン部分まで伸張している。一回限り破断可能要素の第１区画は、第１フィン部分の第２端部付近に取り付けられている。一回限り破断可能要素の第２区画は、第２フィン部分の第２端部付近に取り付けられている。第１区画と第２区画は、それぞれ、第１及び第２フィン部分の各第２端部付近から上向き且つ内向きに伸張して、概ね逆Ｕ字型又は逆Ｖ字型の断面形状を形成している。第１の相対する本体パネルは、一回限り破断可能要素の第１区画に取り付けられており、第２の相対する本体パネルは、一回限り破断可能要素の第２区画に取り付けられている。
【０００８】
第１再閉可能要素は、第１ロック形状部を含んでおり、第２再閉可能要素は、第２ロック形状部を含んでいる。パッケージは、更に、開位置と閉位置の間で動かせるように第１及び第２ロック形状部に滑動可能に取り付けられているスライダー機構を含んでいる。
【０００９】
別の実施形態によれば、再閉可能なパッケージは、第１の相対する本体パネル、第２の相対する本体パネル、再閉可能なシール、及び一回限り破断可能要素を備えている。第２の相対する本体パネルは、３つの辺に沿って第１の相対する本体パネルと接合され、一端に口部を有する容器空間を形成する。再閉可能なシールは、一端に沿って伸張し、第１軌道と第２軌道を有している。第１軌道は、第１フィン部分と第１再閉可能要素を含んでいる。第２軌道は、第２フィン部分と第２再閉可能要素を含んでいる。第１フィン部分は、第１再閉可能要素から容器空間に向かって、概ね下向きに伸張している。第１フィン部分は、第１端部と、第１再閉可能な要素から遠い第２端部を有している。第２フィン部分は、第２再閉可能要素から容器空間に向かって、概ね下向きに伸張している。第２フィン部分は、第１端部と、第２再閉可能要素から遠い第２端部を有している。第１再閉可能要素と第２再閉可能要素は、互いに解除可能に係合可能である。
【００１０】
一回限り破断可能要素は、第１区画と第２区画を備えている。一回限り破断可能要素は、開封される前にパッケージをいじることを防ぎ又は阻止するために、最初は第１フィン部分から第２フィン部分まで伸張している。第１区画と第２区画は、それぞれ、第１及び第２フィン部分の各第２端部から上向き且つ内向きに伸張して、概ね逆Ｕ字型又は逆Ｖ字型の断面形状を形成している。一回限り破断可能要素の第１及び第２区画と、第１及び第２フィン部分は、互いに一体に接続されている。第１の相対する本体パネルは、一回限り破断可能要素の第１区画に取り付けられており、第２の相対する本体パネルは、一回限り破断可能要素の第２区画に取り付けられている。
【００１１】
或る工程によれば、再閉可能なパッケージは、第１の相対する本体パネルと、前記第１の相対する本体パネルと３つの辺に沿って接合され、一端に口部を有する容器空間を作る第２の相対する本体パネルとを提供する段階から成る工程で形成される。再閉可能なシールは、押出成形され、第１軌道と第２軌道を含んでいる。第１軌道は、第１フィン部分と第１再閉可能要素を含んでいる。第２軌道は、第２フィン部分と第２再閉可能要素を含んでいる。第１フィン部分は、第１再閉可能要素から概ね下向きに伸張している。第１フィン部分は、第１端部と、第１再閉可能要素から遠い第２端部を有している。第２フィン部分は、第２再閉可能要素から、概ね下向きに伸張している。第２フィン部分は、第１端部と、第２再閉可能要素から遠い第２端部を有している。第１再閉可能要素と第２再閉可能要素は、互いに解除可能に係合可能である。一回限り破断可能要素は、第１区画と第２区画を備えている。一回限り破断可能要素は、開封される前にパッケージをいじることを防ぎ又は阻止するために、最初は第１フィン部分から第２フィン部分まで伸張している。第１区画と第２区画は、それぞれ、第１及び第２フィン部分の各第２端部から上向き且つ内向きに伸張して、概ね逆Ｕ字型又は逆Ｖ字型の断面形状を形成している。一回限り破断可能要素の第１及び第２区画と、第１及び第２フィン部分は、互いに一体に接続されている。
【００１２】
第１の相対する本体パネルは、一回限り破断可能要素の第１区画に取り付けられている。第２の相対する本体パネルは、一回限り破断可能要素の第２区画に取り付けられている。第１フィン部分は、第１再閉可能要素から容器空間に向かって概ね下向きに伸張している。第２フィン部分は、第２再閉可能要素から容器空間に向かって概ね下向きに伸張しており、再閉可能なシールは、容器空間の一端に沿って伸張している。
【発明を実施するための最良の形態】
【００１３】
本発明のこの他の利点は、以下の詳細な説明を読み、図面を参照すれば明らかになるであろう。
図１ａは、ファスナー又はジッパー１４のような再閉可能な閉鎖機構の下方に配置されている一回限り破断可能要素即ちタンパエビデント構造１２を有する再閉可能なパッケージ又は袋１０の口の部分を示している。図２は、図１ａに示している口の部分が部分的に開いた位置にある再閉可能なパッケージ１０を示している。
【００１４】
図１ａ及び図２に示すように、再閉可能なパッケージ１０の口の部分は、パッケージ本体２０を形成し、容器空間２２を画定する一対の第１及び第２の相対する本体パネル即ち壁パネル１６、１８を含んでいる。第１本体パネル１６には、第１形状部２６と、前記第１形状部２６から概ね下向きに伸張する第１フィン部分２８とを有する第１軌道２４が接続されている。第２本体パネル１８には、第２形状部３２と、前記第２形状部３２から概ね下向きに伸張する第２フィン部分３４とを有する第２軌道３０が接続されている。第１及び第２形状部２６、３２は、互いに解除可能に係合可能で、パッケージ１０に再閉可能なシールを提供している。
【００１５】
図１ｂは、ファスナー１４の下方に配置されている一回限り破断可能要素１２を有する再閉可能なパッケージ又は袋８０を示している。図１ｂのパッケージ又は袋８０は、ファスナー１４とは反対側の端部に底部ガセット８６を形成している第１及び第２の相対する本体パネル８２、８４を含んでいる。
【００１６】
図１ｃは、ファスナー又はジッパー１４の下方に配置されている一回限り破断可能要素１２を有する再閉可能なパッケージ又は袋９０の口の部分を示している。パッケージ又は袋９０は、第１及び第２の相対する本体パネル９２、９４を含んでいる。相対する本体パネル９２、９４は、それぞれ、各側部ガセット９６、９８を形成している。
【００１７】
図１ａの実施形態では、一回限り破断可能要素１２は、最初は第１フィン部分２８から第２フィン部分３４まで伸張している。第１フィン部分２８は第１端部２８ａと第２端部２８ｂを含んでおり、第２フィン部分３４は第１端部３４ａと第２端部３４ｂを含んでいる。一回限り破断可能要素１２は、第１区画１２ａと第２区画１２ｂを含んでいる。或る実施形態によれば、一回限り破断可能要素１２の第１区画１２ａは、第１フィン部分の第２端部２８ｂ付近、より具体的には、第２端部２８ｂに取り付けられている。同様に、或る実施形態によれば、一回限り破断可能要素の第２区画１２ｂは、第２フィン部分３４の第２端部３４ｂの付近、又は第２端部３４ｂに取り付けられている。
【００１８】
図１ａの一回限り破断可能要素１２は、一回限り破断可能なタンパエビデント構造を形成する随意の一回限り破断可能な弱さ優先領域、即ち優先引裂領域３８として示されている。一回限り破断可能要素１２は、必ずしも一回限り破断可能な弱さ優先領域３８を有していなくてもよい。例えば、一回限り破断可能要素１２は、切断することによって分離させるように作られていてもよい。弱さ優先領域３８は、袋１０が開封される前にいじられるのを阻止している。一回限り破断可能要素は、断面形状が概ね逆Ｕ字型（例えば図３参照）、又は概ね逆Ｖ字型（例えば図１ａ―１ｃ参照）である。
【００１９】
図１ａ−ｃに戻るが、別の実施形態による第１及び第２フィン部分２８及び３４と、一回限り破断可能要素１２の第１及び第２区画１２ａ、ｂとは、互いに一体に形成されている。例えば、一回限り破断可能要素１２は、フィン部分２８、３４と共に、弱さ優先領域３８を有する一つの連続部品として押出成形されている。或る実施形態では、弱さ優先領域３８は、切れ目線、又は一連の孔（穿孔線とも呼ぶ）の形を取っている。切れ目線は、一回限り破断可能要素１２の略中心に一様な折り目を作ることによって作ってもよい。代わりに、切れ目線は、一回限り破断可能要素１２の何処の部分に形成してもよい。切れ目線は、一回限り破断可能要素１２を重合度の低い材料を使ってその部分に沿って押出成形することによって作ってもよい。切れ目線は、レーザー技法によっても形成することができる。別の実施形態では、弱さ優先領域３８は、単一の連続した部品を、弱さ優先領域３８に沿って割ける傾向がある高度に方向性のあるポリマー材料の領域から形成することによって作られる。
【００２０】
一回限り破断可能要素１２を第１及び第２フィン部分２８、３４と共に一つの連続する部品として押出成形するのではなく、一回限り破断可能要素１２とフィン部分２８、３４を、別々に押出成形して、その後、軽く接着させてもよい。例えば、一回限り破断可能要素１２は、熱シーリング又は溶接によって、各フィン部分２８、３４の第２端部付近又は第２端部に取り付けてもよい。一回限り破断可能要素１２は、各フィン部分２８、３４にエラストマーのリブによって取り付けてもよい。一回限り破断可能要素１２を第１フィン部分２８及び／又は第２フィン部分３４に軽く接着することで、弱さ優先領域を作ってもよい。
【００２１】
図３では、再閉可能な袋又はパッケージ１１０は、ファスナー又はジッパー１１４の下方に位置する一回限り破断可能要素１１２を含んでいる。図１ａと図２について先に説明したように、図３の再閉可能なパッケージ１１０は、一回限り破断可能要素１１２の第１区画１１２ａ及び第２区画１１２ｂそれぞれに取り付けられている相対する本体パネル１１６及び１１８を含んでいる。第１軌道１２４は、第１形状部１２６と、第１及び第２端部１２８ａ、１２８ｂを有する第１フィン部分１２８とを含んでいる。第２軌道１３０は、第２形状部１３２と、第１及び第２端部１３４ａ、１３４ｂを有する第２フィン部分１３４とを含んでいる。
【００２２】
図４では、再閉可能な袋又はパッケージ２１０を、形状部２２６、２３２と、そこから伸張するそれぞれの第１及び第２フィン部分２２８、２３４と共に示している。再閉可能な袋２１０は、第１区画２１２ａと第２区画２１２ｂを含む一回限り破断可能要素２１２を含んでいる。一回限り破断可能要素２１２は、随意の、一回限り破断可能な弱さ優先領域、即ち優先引裂領域２３８を含んでいる。
【００２３】
一回限り破断可能な区画２１２の第１区画２１２ａの大部分を、例えば接着剤又は熱シーリングによって第１フィン部分２２８に取り付けてもよい。この取付は、第１フィン部分２２８と第１区画２１２ａが、図４に示すように互いに一体に押出成形されている場合でも行うことができる。つまり、第１区画２１２ａを、第１フィン部分２２８と一体に成形して、その後、第１フィン部分の上に折り畳んで取り付けてもよい。代わりに、第１区画２１２ａと第１フィン部分２２８を、別々に成形して取り付けてもよい。代わりに、一回限り破断可能要素２１２の第１区画２１２ａの実質的に全てを、第１フィン部分２２８に取り付けてもよい。そのような実施形態では、第１区画２１２ａと第１フィン部分２２８は、一体に成形してもよいし、別々に成形してもよい。
【００２４】
同様に、一回限り破断可能区画２１２の第２区画２１２ｂの大部分を、例えば接着剤又は熱シーリングによって第２フィン部分２３４に取り付けてもよい。先に論じたように、第２区画２１２ｂと第２フィン部分２３４は、一体に成形してもよいし、別々に成形してもよい。代わりに、一回限り破断可能区画２１２の第２区画２１２ｂの実質的に全てを、第２フィン部分２３４に取り付けてもよい。第１区画２１２ａ、第２区画２１２ｂ、第１フィン部分２２８及び第２フィン部分２３４を、互いに一体に成形してもよい。
【００２５】
一回限り破断可能要素１２と、第１及び第２フィン部分２８、３４の厚さは、概略約２から約１０ミルである。一回限り破断可能要素１２と、第１及び第２フィン部分２８、３４の厚さは、通常、約６から約８ミルである。一回限り破断可能要素の厚さは、エラストマーのリブを用いる場合には厚くなる（例えば概略約１２から約１４ミル）。弱さ優先領域３８のような弱い領域は、概略約０．５から約２ミルである。
【００２６】
別の実施形態によれば、再閉可能なパッケージ１０は、閉位置と開位置との間で動かせるようにファスナー１４に滑動可能に取り付けられている随意の補助スライダー機構３６（図２）を更に含んでいる。図１ａ―１ｃ及び図２に示すように、スライダー機構３６が閉位置にある間は、第１及び第２形状部２６、３２は互いに係合しており、スライダー機構３６を閉位置から開位置へ動かすと、形状部２６、３２が互いから係合解除される。
【００２７】
図２のパッケージ１０は、更に、終端部３７を含んでいる。終端部は、（ａ）スライダー機構３６がファスナー１４の端部を通過するのを防ぐ又は阻止する、（ｂ）スライダー３６と相互作用して閉鎖したという触感を与える、（ｃ）パッケージ１０からの漏れを阻止又は防止するのを支援する、（ｄ）第１及び第２形状部２６、３２を一体に保持し、パッケージ１０を通常通り使用する際に形状部２６、３２に掛かる応力に抗する追加的強度を提供する、等々の様々な目的を有している。スライダー機構３６と終端部３７の構造と作動に関する詳細については、Ｈｅｒｉｎｇｔｏｎ．Ｊｒらに発行の米国特許第５，０６７，２０８号に記載されている。
【００２８】
上記の終端部３７の代わりに、別の終端部を使用することも考えられる。例えば、高温のバーをファスナーの端部に押し付けるか、超音波溶接か、又は当技術で既知の他の方法によって端部を溶着してもよい。
【００２９】
図１ａ−ｃ及び図２に示すように、本発明の再閉可能なパッケージ１０を開くために、消費者は、スライダー機構３６を掴み、第１及び第２軌道２４、３０それぞれの第１及び第２形状部２６、３２が互いから離れるように、スライダー機構３６を動かす。次に、消費者は、一回限り破断可能要素１２を弱さ優先領域３８に沿って引き裂いて開く。代わりに、消費者は、一回限り破断可能要素１２を切断することによって開くこともできる。パッケージは、ファスナー１４とスライダー機構３６を用いて再密封することもできる。具体的には、消費者は、スライダー機構３６を掴み、開位置から閉位置まで動かして、相補的形状の第１形状部と第２形状部２６、３２を係合させる。
【００３０】
一回限り破断可能要素１２は、消費者に、新しく購入したパッケージが未開封であることを保証するだけでなく、その最初の開封まで、パッケージ内の食品内容物の新鮮さを保持する良好な初期シールを提供する。図１−４の再閉可能な閉鎖装置は一回限り破断可能要素の上方に配置されている（即ち、再閉可能な閉鎖装置は容器空間から離れている）ので、再閉可能な閉鎖装置の操作は、一回限り破断可能要素が在っても邪魔されない。
【００３１】
例えば、再閉可能な閉鎖装置から上方向に伸張していて、掴んで、引き離して、再閉可能な閉鎖装置を密封状態から開くことのできる引っ張りフランジを備えるのは、一般的に望ましくない。そのような再閉可能なパッケージは、パッケージの開閉操作の邪魔になり、消費者の不満となる。加えて、この型式のパッケージは、パッケージにアクセスするのに、消費者が引裂ストリップを取り除くか、壁パネルを手で切断する別の段階を更に含んでいる。この型式のパッケージは、本体パネルを伸張させるために追加の樹脂を使用することに伴い製造コストが高くなる。
【００３２】
軌道、形状部、フィン部分及び一回限り破断可能要素は、通常、１つ又は複数のポリマー樹脂で構成されている。軌道、形状部、フィン部分及び一回限り破断可能要素は、限定するわけではないが、ポリエチレン、ポリプロピレン又はそれらの組み合わせを含む１つ又は複数のポリオレフィンで個々に構成されていてもよい。限定するわけではないが、ポリエチレンの型式には、低密度ポリエチレン（ＬＤＰＥ）、線形低密度ポリエチレン（ＬＬＤＰＥ）、高密度ポリエチレン（ＨＤＰＥ）、中密度ポリエチレン（ＭＤＰＥ）及びそれらの組み合わせが含まれる。限定するわけではないが、別の例には、プラストマー、エラストマー、エチレン・ビニル・アセテート（ＥＶＡ）、エチル・メタアクリレート、ポリメチルペンテン・コポリマー、ポリイソブチレン、ポリオレフィン・イノマー、環状オレフィン・コポリマー（ＣＯＣＳ）、又は、ポリエチレン及び／又はポリプロピレンを含めそれらの組み合わせが含まれる。
【００３３】
軌道、形状部、フィン部分及び／又は一回限り破断可能要素の内の１つ又はそれ以上は、多層構造としてもよい。多層構造のの軌道、形状部、フィン部分及び一回限り破断可能要素は、押出成形、又はコーティングや積層のような別の工程で個々に形成してもよい。
【００３４】
或る実施形態によれば、パッケージの相対する本体パネル１６、１８を形成する相対するフィルムは、１つ又は複数のポリマー樹脂で作られている。相対する本体パネル１１６、１１８（図３）と２１６、２１８（図４）は、相対する本体パネル１６、１８と同じ材料で作られている。相対する本体パネル１６、１８は、限定するわけではないが、ポリエチレン、ポリプロピレン又はそれらの組み合わせを含む１つ又は複数のポリオレフィンで構成されている。限定するわけではないが、ポリエチレンの型式には、低密度ポリエチレン（ＬＤＰＥ）、線形低密度ポリエチレン（ＬＬＤＰＥ）、高密度ポリエチレン（ＨＤＰＥ）、中密度ポリエチレン（ＭＤＰＥ）及びそれらの組み合わせが含まれる。限定するわけではないが、他の例には、プラストマー、エラストマー、エチレン・ビニル・アセテート（ＥＶＡ）、エチル・メタアクリレート、ポリメチルペンテン・コポリマー、ポリイソブチレン、ポリオレフィン・イオノマー、環状オレフィン・コポリマー（ＣＯＣＳ）、又は、ポリエチレン及び／又はポリプロピレンを含めそれらの組み合わせが含まれる。
【００３５】
更に、本発明の相対する本体パネル１６、１８は、同時押出成形か、又はコーティングや積層のような別の工程で連結された層を含む多層構造としてもよい。同様に、相対する本体パネル１１６、１１８及び２１６、２１８も、そのような多層構造としてもよい。顔料、金属構成要素、紙、及び／又は紙／プラスチック複合材を、相対する本体パネルの層の中又は上に組み込むこともできる。
【００３６】
別の実施形態によれば、相対する本体パネルは、多重壁紙構造で形成されている。限定するわけではないが、そのような構造の或る例は、ペットフード業界で使用されている底を摘んで口を開く袋である。相対する本体パネルを形成するのに、他の型式の多重壁紙構造を使用することも考えられる。
【００３７】
随意のスライダー機構３６は、例えば、ナイロン、ポリプロピレン、ポリエチレン、ポリスチレン、ポリエチレンとポリプロピレンのコポリマー、ポリカーボネート、ポリエステル、ポリアセタール、又はアクリル系のブタジエン−スチレン・コポリマーのような適したポリマー材料で形成することができる。スライダー機構３６を作るのに特に好適な成分は、ポリプロピレン、ポリカーボネート又はポリエステルである。スライダー機構３６は、射出成形で形成することができる。
【００３８】
上記のように、一回限り破断可能要素は、１つ又は複数の層で形成してもよい。或る実施形態によれば、一回限り破断可能要素１２は、酸素、窒素、二酸化炭素及び／又は水蒸気の内の少なくとも一つに対して実質的に不透過性であるバリヤー層を含むバリヤー仕切りでもある。同様に、一回限り破断可能要素１１２（図３）と２１２（図４）も、そのような層を含んでいてもよい。一回限り破断可能要素１２、１１２、２１２それぞれの随意の弱さ優先領域３８、１３８、２３８も、酸素、窒素、二酸化炭素及び／又は水蒸気の内の少なくとも一つに対して実質的に不透過性であってもよい。少なくとも酸素、窒素、二酸化炭素及び／又は水蒸気に対して実質的に不透過性であれば、一回限り破断可能要素は、最初の開封時まで、パッケージ内の食品内容物の新鮮さを保つのを支援する。食品の新鮮さは、食品を腐食させる外部大気からの気体を減らすことによって保持される。
【００３９】
一回限り破断可能要素の随意のバリヤー層は、エチレン・ビニル・アルコール（ＥＶＯＨ）、ポリビニル・アルコール（ＰＶＯＨ）、ナイロン、ポリエステル、エチレン・ビニル・ジクロリド（ＥＶＤＣ）、液晶ポリマー（ＬＣＰ）、ポリビニル・クロリド（ＰＶＣ）、ポリビニリデン・クロリド（ＰＶＤＣ）、バリヤー特性を備えた改質ポリオレフィン、ポリアクリロニトリル、アクリロニトリル・コポリマー、ポリアセタール、セロファン、環状オレフィン・コポリマー（ＣＯＣＳ）又はそれらの組み合わせで構成されている。更に具体的には、一回限り破断可能要素の随意のバリヤー層は、ＥＶＯＨ、ＰＶＤＣ、ナイロン又はポリエステルで作られている。好適なナイロンには、ナイロン−６、ナイロン−６６、ナイロン−ＭＸＤ６及び非結晶質ナイロンが含まれる。好適なポリエステルには、ポリエチレン・テレフタレート（ＰＥＴ）とポリブチレン・テレフタレート（ＰＢＴ）が含まれる。
【００４０】
効果的な水蒸気バリヤーを有することが望ましい場合は、ＴＯＰＡＳ８００７のような環状オレフィン・コポリマーを用いることができる。ＴＯＰＡＳ８００７は、ニュージャージー州サミットのＣａｌａｎｅｓｅＡＧ事業部のＴｉｃｏｎａによって作られている。この環状オレフィンコポリマーは、ノルボルネン及びエチレンの原料に、メタロセン触媒を使用して調合されると考えられている。ＴＯＰＡＳ８００７は、ノルボルネンレベルが恐らく約３９モル％で約８５℃のガラス遷移温度Ｔｇを有している。
【００４１】
少なくとも３つの他の等級のＴＯＰＡＳ樹脂（ＴＯＰＡＳ６０１３、ＴＯＰＡＳ６０１５及びＴＯＰＡＳ６０１７）も利用できると考えられる。入手可能な環状オレフィン・コポリマーを有する別の会社には、日本ゼオン(日本)、三井化学（日本）及び以前は日本合成ゴムとして知られていたＪＳＲ（日本）が含まれる。これらの環状オレフィン・コポリマーは、ノルボルネンとエチレンの原料に、メタロセン触媒を使用して調合されると考えられる。販売されている３つの等級のＴＯＰＡＳ樹脂は、それぞれ１４０℃、１６０℃、１８０℃のガラス遷移温度Ｔｇを有している。４つの等級のＴＯＰＡＳ樹脂の対応するノルボルネンレベルは、約４８、５５、５９モル％であると考えられる。
【００４２】
ＰＶＯＨのような水溶性材料は、一回限り破断可能要素がバリヤー層だけで作られている場合は、それらの材料が湿潤環境では溶解し、強度及び／又はバリヤー特性を失うので、随意のバリヤー層を構成していない方が望ましい。
【００４３】
或る実施形態によれば、５層のバリヤー層が考えられている。５層のバリヤー層は、例えば、高密度ポリエチレン（ＨＤＰＥ）、超低密度ポリエチレン（ＵＬＤＰＥ）及び低密度ポリエチレン（ＬＤＰＥ）のようなポリマー外側層を有している。内側層は、エチレン・ビニル・アルコール（ＥＶＯＨ）で作られている。ＥＶＯＨ層は、エチル・ビニル・アセテート（ＥＶＡ）のような接着剤層によって外側ポリマー層に接着されている。接着剤の別の例は、溶融指標（ＭＩ）が約１．８ｇ／１０分で、密度が約０．９２ｇ／ｃｍ３の無水物改質ＬＤＰＥである。
【００４４】
随意のバリヤー層は、一般的に、ＡＳＴＭ  Ｄ３９８５−８１で測定した場合、酸素透過率（ＯＴＲ）が、２３℃で１０ｃｍ３（ｍｉｌ）／１００ｉｎ２−ｄａｙ未満である。バリヤー層は、ＡＳＴＭ  Ｄ３９８５−８１で測定した場合、酸素透過率が、２３℃で２ｃｍ３（ｍｉｌ）／１００ｉｎ２−ｄａｙ未満であるのが望ましく、２３℃で０．５ｃｍ３（ｍｉｌ）／１００ｉｎ２−ｄａｙ未満であれば更に望ましい。
【００４５】
随意のバリヤー層は、脱水、湿潤及び／又は酸化を引き起こす、水蒸気及び他の気体に対して実質的に不透過性であってもよい。随意のバリヤー層は、一般的に、ＡＳＴＭ  Ｆ１２４９−９０で測定した場合、水蒸気透過率（ＯＴＲ）が、２３℃で２０ｇ／１００ｉｎ２−ｄａｙ未満である。ＡＳＴＭ  Ｆ１２４９−５０は、１１．２節で僅かに修正されており、小さい幅の軌跡を規準化し、考慮している。バリヤー層は、ＡＳＴＭ  Ｆ１２４９−９０で測定した場合、酸素透過率が、２３℃で５ｇ／１００ｉｎ２−ｄａｙ未満であるのが望ましく、２３℃で１ｇ／１００ｉｎ２−ｄａｙ未満であれば更に望ましい。
【００４６】
随意のバリヤー層は、香りの消失、外部の臭いの吸収、パッケージ内の食品のミクロフロラ（バクテリア）の発生を抑制する助けとなる。
随意のバリヤー層を形成する際に、酸素吸収剤／捕捉剤を含ませることが考えられる。酸素吸収剤又は捕捉剤は、一般的に化学物質又は酵素がベースになっている。本発明で考案した化学的酸素捕捉剤は、様々な鉄化合物、粉末酸化鉄及び金属プラチナのような金属還元剤を含んでいる。他の化学的酸素捕捉剤には、アスコルビン酸（ビタミンＣ）及びその関連する塩を使用しているもののような非金属調合物、及び酸素に対して自然な親和性を有する有機金属分子が含まれる。
【００４７】
随意のバリヤー層を形成する際に追加の材料を加えることも考えられる。これらの材料には、粘度、タルク、雲母及びナノ化合物のような各種充填材が含まれる。これらの充填材は、酸素、窒素、二酸化炭素及び／又は水蒸気に対し曲がりくねった経路を形成する。
【００４８】
同様に、相対する本体パネル１６、１８（図１ａ−１ｃ）、１１６、１１８（図３）、２１６、２１８（図４）は、酸素、窒素、二酸化炭素及び／又は水蒸気の内の少なくとも１つに対して実質的に不透過性である少なくとも１つのバリヤー層で作ってもよい。相対する本体パネルの随意のバリヤー層は、一回限り破断可能要素の随意のバリヤー層を形成することに関して上に述べたのと同様の材料で作ってもよい。相対する本体パネルの随意のバリヤー層は、パッケージの内側層又は内部層として配置される。
【００４９】
先に述べたように、相対する本体パネル１６、１８は多層構造としてもよい。同様に、図３の相対する本体パネル１１６、１１８と、図４の２１６、２１８も、多層構造としてもよい。例えば、相対する本体パネル１６、１８は、フィン部分２８、３４に取り付けられる接合層を含んでいてもよい。接合層は、エチレン・ビニル・アセテート（ＥＶＡ）、無水改質ポリオレフィン、無水改質エチレン−アクリレート、無水改質ＥＶＡ、酸改質ＥＶＡ、酸改質エチレン・アクリレート、非結晶ポリオレフィン改質ＥＶＡポリマー又はそれらの組み合わせのような様々な材料で作られる。無水改質ポリオレフィンの例には、無水改質高密度ポリエチレン（ＨＤＰＥ）、無水改質低密度ポリエチレン（ＬＤＰＥ）及び無水線形低密度ポリエチレン（ＬＬＤＰＥ）が含まれる。
【００５０】
３層構造の本体パネル（図示せず）の或る例は、一回限り破断可能要素の随意のバリヤー層を作ることに関して上に述べたのと同じ材料を有する第１層と、接合層と、ＬＤＰＥ、ＨＤＰＥ、ＬＬＤＰＥ又はそれらの組み合わせのようなポリオレフィンで作られた第３層を含んでいる。この実施形態では、第１層が本体パネルの内側に配置され、接合層が第１層と第３層の間に配置されているのが望ましい。
【００５１】
再閉可能な閉鎖装置の（一体成形された噛み合い形状部とフィン部分を有する軌道のような）構成要素は、熱シーリング、溶接又はブロッキングのような工程によって、パッケージの本体パネルに取り付けられる。使用される工程は、袋と再閉可能な閉鎖装置を作る材料によって決まる。具体的には、熱シーリングは、材料が一体に融合又は融解される工程である。溶接は、同様な材料を互いに「糊付けする」のに仲介する第３の材料が用いられる工程である。ブロッキングは、少なくとも十分な圧力と随意の温度の上昇によって、シーリング無しに層の表面を密に接触接着させる工程である。
【００５２】
代わりに、本発明のファスナー又は再閉可能な要素として接着シールを用いてもよい。そのようなシールは、パッケージを形成しているフィルムの内の何れか一方又は両方に塗布される再閉可能な接着剤型式の物質を使用する。代わりに、接着剤は、中間のベース条片に塗布してもよい。接着シール及びジッパー以外の閉鎖装置を本発明に使用することも考えられる。
【００５３】
或る工程によれば、再閉可能なパッケージは、第１の相対する本体パネルと、３つの辺に沿って第１の相対する本体パネルと接合され、一端に口部を有する容器空間を形成する第２の相対する本体パネルとを提供することによって形成される。再閉可能なシールは、押出成形された第１軌道と第２軌道を含んでいる。第１軌道は第１フィン部分と第１再閉可能要素を含んでおり、第２軌道は第２フィン部分と第２再閉可能要素を含んでいる。第１フィン部分は、第１再閉可能要素から概ね下向きに伸張している。第１フィン部分は、第１端部と、第１再閉可能要素から遠い第２端部を有している。第２フィン部分は、第２再閉可能要素から概ね下向きに伸張している。第２フィン部分は、第１端部と、第２再閉可能要素から遠い第２端部を有している。第１再閉可能要素と第２再閉可能要素は、互いに解除可能に係合可能である。再閉可能シールは、第１及び第２ロック要素と、前記ロック要素を開位置と閉位置の間で動かせるように係合するスライダー機構とを含んでいる。
【００５４】
第１区画と第２区画を備えた一回限り破断可能要素は、押出成形されている。一回限り破断可能要素は、パッケージを開封する前にいじることを防ぎ又は阻止するため、最初は第１フィン部分から第２フィン部分まで伸張している。第１及び第２区画は、それぞれ、第１及び第２フィン部分の各第２端部から上向き且つ内向きに伸張して、概ね逆Ｕ字型又はＶ字型の断面形状を形成している。一回限り破断可能要素の第１及び第２区画と、第１及び第２フィン部分は、或る実施形態によれば、互いに一体に接続されている。
【００５５】
第１フィン部分、第２フィン部分、一回限り破断可能要素の第１及び第２区画を、互いに別々に作ることも考えられる。例えば、第１フィン部分、第２フィン部分、一回限り破断可能要素の第１及び第２区画は、互いに別々に押出成形してもよい。第１フィン区画と一回限り破断可能区画の第１区画を、互いと共に押出成形することも考えられる。第２フィン区画と一回限り破断可能区画の第２区画を、互いと共に押出成形することも考えられる。別の実施形態によれば、第１フィン区画、第２フィン区画及び一回限り破断可能要素（第１及び第２区画）は、別々に押出成形されている。
【００５６】
第１の相対する本体パネルは、一回限り破断可能要素の第１区画に取り付けられている。第２の相対する本体パネルは、一回限り破断可能要素の第２区画に取り付けられている。第１フィン部分は、第１再閉可能要素から容器空間に向かって概ね下向きに伸張している。第２フィン部分は、第２再閉可能要素から容器空間に向かって概ね下向きに伸張しており、再閉可能なシールは、容器空間の一端に沿って伸張している。
【００５７】
以上、本発明を、１つ又は複数の特定の実施形態を参照しながら説明してきたが、当業者には理解頂けるように、本発明の精神及び範囲から逸脱すること無く多くの変更を加えることができる。これらの各実施形態と、それらの明白な変形は、特許請求の範囲に記載している本発明の精神及び範囲内にあると考えられる。
【図面の簡単な説明】
【００５８】
【図１】図１ａは、本発明の或る実施形態による再閉可能なパッケージ又は袋の口の部分の断面図である。
【００５９】
図１ｂは、本発明の或る実施形態による再閉可能なパッケージ又は袋の断面図である。
図１ｃは、本発明の別の実施形態による再閉可能なパッケージ又は袋の口の部分の断面図である。
【図２】図１に示した口の部分を組み込んだ再閉可能なパッケージの斜視図であり、再閉可能なファスナー又はジッパーがスライダー機構を有していて、そのスライダー機構が開かれ、一回限り破断可能要素が部分的に開かれている状態を示している。
【図３】本発明の別の実施形態による再閉可能なパッケージ又は袋の口の部分の断面図である。
【図４】本発明の更に別の実施形態による再閉可能なパッケージ又は袋の口の部分の開位置にある状態を示す断面図である。
【図１ａ】
2007501751.tif 000003
【図１ｂ】
2007501751.tif 000004
【図１ｃ】
2007501751.tif 000005
【図２】
2007501751.tif 000006
【図３】
2007501751.tif 000007
【図４】
2007501751.tif 000008
【国際調査報告】
2007501751.tif 000009
2007501751.tif 000010
2007501751.tif 000011